【手続補正書】
【提出日】平成18年12月22日(2006.12.22)
【手続補正１】
【補正対象書類名】明細書
【補正対象項目名】特許請求の範囲
【補正方法】変更
【補正の内容】
【特許請求の範囲】
【請求項１】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
第１の部分及び第２の部分とを備え、前記第１の部分は、フランジであり、前記第２の部分から半径方向外方に延び、前記側壁面の一部と接触しており、前記第２の部分が前記周辺端部を含み、前記フランジが少なくとも一つのノッチを形成し、
ｃ）  前記背面部から前記窪みに向かって延びる複数の開口と、前記開口のうちの少なくとも一つに配置された第２の振動減衰材料とを有する、
ゴルフクラブヘッド。
【請求項２】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
背面とを備え、該背面が、前記窪みの前記底面と接触している前記背面の少なくとも一部を有し、
ｃ）  前記背面部から前記窪みに向かって延びる複数の開口と、前記開口のうちの少なくとも一つに配置された第２の振動減衰材料とを有し、前記第１の振動減衰材料が前記第２の振動減衰材料と連通している、
ゴルフクラブヘッド。
【請求項３】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
前記打面の第１の部分を形成し、
前記窪みの前記側壁面と接触する第１の部分と、
背面とを備え、該背面は、前記窪みの前記底面から離れてギャップを形成し、
ｃ）  前記打面から前記ギャップを通って前記背面部まで連続的に延びる振動減衰材料を有し、該振動減衰材料が、前記打面の第２の部分を形成する、
ゴルフクラブヘッド。
【請求項４】  前記背面部から前記窪みに延びる複数の開口を有し、該開口のうちの少なくとも一つに前記振動減衰材料が配置される、請求項３記載のゴルフクラブヘッド。
【請求項５】  前記窪みが、前記背面部から離れた底面と、前記底面と前記打面との間に延びる側壁面とを備え、
前記インサートが周辺溝を形成するように前記側壁面から離された周辺端部を備え、
該周辺端部と、前記ギャップと、前記少なくとも一つの開口とが、流体連通して、これらを前記振動減衰材料が通って延びる、請求項４記載のゴルフクラブヘッド。
【請求項６】  前記周辺溝の前記振動減衰材料が、前記振動減衰材料の第１の部分であり、
前記少なくとも一つの開口の前記振動減衰材料が前記振動減衰材料の第２の部分であり、
前記ギャップの前記振動減衰材料が前記振動減衰材料の第３の部分であり、
前記第１の部分と前記第２の部分とが同じである、
請求項５記載のゴルフクラブヘッド。
【請求項７】  前記第２の振動減衰材料と前記第３の振動減衰材料とが同じである、請求項５記載のゴルフクラブヘッド。
【請求項８】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
背面とを備え、該背面が、前記窪みの前記底面と接触している前記背面の少なくとも一部を有し、
ｃ）  前記背面部から前記窪みに向かって延びる複数の開口と、前記開口のうちの少なくとも一つに配置された第２の振動減衰材料とを有し、
ｄ）  前記インサートと前記背面部分とを結合するように前記開口の少なくとも一つを通って延びる締結手段を有する、
ゴルフクラブヘッド。
【請求項９】  前記インサートの前記背面が、前記複数の開口と相補するように整合された複数のキャビティを有する、請求項８記載のゴルフクラブヘッド。
【請求項１０】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記打面に配置された金属製のインサートを有し、該インサートが、前記打面と面一の露出した前面と、前記クラブヘッドと係合する背面とを備え、前記背面の中央部が前記くぼみの前記底面と接触しており、
ｃ）前記背面部に延びる複数の開口と、
ｄ）前記開口の少なくとも一つに配置された振動減衰材料とを有し、
ｅ）前記インサートと振動減衰材料が異なる材料のものである、
ゴルフクラブヘッド。
【請求項１１】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みと、
ｂ）前記窪みに配置されたインサートとを有し、該インサートが、前記打面の一部を形成し、背面を備え、
ｃ）前記打面から前記背面部まで連続的に延びる振動減衰手段を有し、該振動減衰手段が前記打面の第２の部分を形成する、
ゴルフクラブヘッド。
【請求項１２】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた位置にある底面を備え、
ｂ）前記窪みに配置されたインサートを有し、該インサートが、第１の部分と、第２の部分と、背面とを備え、前記第１の部分は、前記打面から間隔を隔てられ、前記打面と前記窪みの前記底面との間に配置された前面と、前記インサートの前記前面から前記背面に延びる第１の通路とを有し、前記第２の部分は前記打面の一部を形成し、
ｃ）前記通路に配置された振動減衰材料を有する、
ゴルフクラブヘッド。
【請求項１３】  前記窪みが前記底面と前記打面との間に延びる側壁を有し、前記第２の部分が、前記打面に周辺溝を形成するように、前記側壁面から離れた位置にある周辺端を有し、前記振動減衰材料が前記溝に配置されている、請求項１２記載のゴルフクラブヘッド。
【請求項１４】  前記背面部から前記底面に延びる第１の開口を有し、前記振動減衰材料が前記第１の開口に配置され、前記振動減衰材料が、前記溝、前記第１の通路及び前記第１の開口を通って、前記打面から前記背面部まで連続している、請求項１３記載のゴルフクラブヘッド。
【請求項１５】  前記第１の通路が、前記第１の開口と整合されていない第２の開口を有する、請求項１４記載のゴルフクラブヘッド。
【請求項１６】  前記第１の通路が、前記第１の開口と少なくとも部分的に整合された第２の開口を有する、請求項１４記載のゴルフクラブヘッド。
【請求項１７】  前記第１の通路が、前記第１の開口と完全に整合された第２の開口を有する、請求項１４記載のゴルフクラブヘッド。
【請求項１８】  前記底面に接触する背面を有し、前記通路が前記第２の開口から前記第１の開口に延びる切取り部を前記背面に有する、請求項１４記載のゴルフクラブヘッド。
【請求項１９】  前記インサートの前記背面が、前記第１の開口と相補であるように整合されたキャビティを有し、前記切取り部が前記第２の開口から前記キャビティに延び、前記振動減衰材料が前記インサートキャビティ内に延びる、請求項１８記載のゴルフクラブヘッド。
【請求項２０】  前記第１の部分が前記第２の部分から半径方向外方に延び、前記第１の部分が前記側壁面の一部と接触している、請求項１２記載のゴルフクラブヘッド。
【請求項２１】  前記背面部から前記底面に延びる第１の複数の開口を有し、前記第１の通路が、前記溝と前記第１の複数の開口の一群との間を流体連通させるためのものであり、前記振動減衰材料が前記溝、前記第１の複数の開口及び前記第１の通路に配置され、前記振動減衰材料が前記打面から前記背面部まで連続している、請求項１２記載のゴルフクラブヘッド。
【請求項２２】  前記通路が、前記複数の開口と整合されてない複数の第２の開口を有する、請求項２１記載のゴルフクラブヘッド。
【請求項２３】  前記背面が前記底面と接触し、前記通路が前記第２の複数の開口から前記第１の複数の開口の一群に延びる切取り部を前記背面に有する、請求項２２記載のゴルフクラブヘッド。
【請求項２４】  前記インサートの前記背面が前記第１の複数の開口と相補であるように整合された複数のキャビティを有し、前記切取り部が前記第２の複数の開口から前記キャビティの一群に延び、前記振動減衰材料が前記インサートキャビティに延びる、請求項２２記載のゴルフクラブヘッド。
【請求項２５】  前記一群のキャビティのそれぞれが前記切取り部を形成する端ぐり部を有する、請求項２４記載のゴルフクラブヘッド。
【請求項２６】  前記インサート背面が、
ａ）前記インサートキャビティのそれぞれを連結する連続した第２の通路と、
ｂ）前記連続した第２の通路を通って延びる前記振動減衰材料とを更に有する、
請求項２４記載のゴルフクラブヘッド。
【請求項２７】  前記第１の部分は、前記第２の部分の周りに延びる周辺フランジであり、前記第２の複数の開口のそれぞれが、前記フランジ前面から前記背面に延びる、請求項２５記載のゴルフクラブヘッド。
【請求項２８】  前記第２の複数の開口は、前記インサートキャビティの前記端ぐり部によって形成されている、請求項２７記載のゴルフクラブヘッド。
【請求項２９】  前記インサート背面は、
ａ）前記インサートキャビティのそれぞれを連結する連続的な通路と、
ｂ）該連続的な通路の中を通って延びる前記振動減衰材料とを有する、
請求項２８記載のゴルフクラブヘッド。
【請求項３０】  トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが前記背面部から間隔を隔てた底面を備え、
ｂ）前記窪みに配置されたインサートを有し、該インサートが前記背面の第１の部分を備え、該第１の部分が、前記第１の部分と前記窪みの底面との間にギャップを構成するように、前記窪みの前記底面から間隔を隔てられ、前記インサートが、前記窪みの底面と接触する前記背面の第２の部分を備え、
ｃ）前記ギャップに配置された振動減衰材料を有し、前記窪みは、前記底面と前記打面との間に延びる側壁面を有し、前記第２の部分は、前記打面に周辺溝を形成するように、前記側壁面から間隔を隔てられた周辺端を備え、前記振動減衰材料が前記溝に配置されている、
ゴルフクラブヘッド。
【請求項３１】  前記背面部から前記底面に延びる第１の開口を有し、前記振動減衰材料が前記第１の開口内に配置され、前記振動減衰材料が、前記打面から前記背面部まで連続している、請求項３０記載のゴルフクラブヘッド。
【請求項３２】  前記インサートは半径方向に延びた複数の周辺突起を備え、該突起は前記背面の第２の部分を有す、請求項３０記載のゴルフクラブヘッド。
【請求項３３】  前記インサートは、前記背面の前記第１の部分から延びる少なくとも一つの突起を備え、該突起は、自由端に前記背面の前記第２の部分を有する、請求項３０記載のゴルフクラブヘッド。